(57)【要約】【目的】  本発明は、可搬性の良く、携帯型ライトで周囲の広い範囲を照らすことができる行灯型ケース及びこれを備えた照明器具を得る。【構成】  行灯型ケースＣは、ケース本体１００と、第１係合部２００ａとを備えている。ケース本体１００は、当該ケース本体１００内に携帯型ライトＬを収容可能であり、且つ折り畳み可能となる程度の可撓性及び携帯型ライトＬの光によって灯光する程度の光透過性を有している。ケース本体１００は、Ｚ方向の第１開口１１１ａを有する筒体１１０と、筒体１１０の第１開口１１１ａを閉塞する第１閉塞部１２０ａとを有している。第１係合部２００ａは、第１閉塞部１２０ａの内面に設けられており且つ携帯型ライトＬの出射方向がＺ’方向に向くように当該携帯型ライトＬを着脱自在に係合可能な構成である。【選択図】      図３Ａ
2018029024.tif 000002
【特許請求の範囲】
【請求項１】
懐中電灯、ヘッドライト又はランタン等であって、電池又は内蔵バッテリーと、光源とを有する携帯型ライトを収容可能な行灯型ケースであって、
ケース本体と、第１係合部とを備えており、
前記ケース本体は、当該ケース本体内に前記携帯型ライトを収容可能であり、前記携帯型ライトの光を散乱させて前記ケース本体外に出射可能であり且つ折り畳み可能となる程度の可撓性を有しており、
前記第１係合部は、前記ケース本体の第１部の内面に設けられており且つ前記携帯型ライトの光の出射方向が前記ケース本体の前記第１部と異なる第２部に向くように当該携帯型ライトを着脱自在に係合可能な構成である行灯型ケース。
【請求項２】
請求項１記載の行灯型ケースにおいて、
第２係合部を更に備えており、
前記第２係合部は、前記ケース本体の第３部の内面に設けられており且つ前記携帯型ライトの光の出射方向が前記ケース本体の前記第３部と異なる第４部に向くように当該携帯型ライトを着脱自在に係合可能な構成であり、
前記ケース本体の前記第３部及び前記第４部は、前記ケース本体の前記第１部及び前記第２部と異なる部分である行灯型ケース。
【請求項３】
請求項１記載の行灯型ケースにおいて、
前記ケース本体は、第１方向の一方側の第１開口及び前記第１方向の他方側の第２開口を有する筒体と、
前記筒体の前記第１開口を閉塞する第１閉塞部と、
前記筒体の前記第２開口を閉塞する第２閉塞部とを有しており、
前記第１係合部は、前記第１閉塞部の内面に設けられており且つ前記携帯型ライトの前記出射方向が前記第２閉塞部に向くように当該携帯型ライトを着脱自在に係合可能な構成である行灯型ケース。
【請求項４】
請求項３記載の行灯型ケースにおいて、
第２係合部を更に備えており、
前記第２係合部は、前記第２閉塞部の内面に設けられており且つ前記携帯型ライトの前記出射方向が前記第１閉塞部に向くように当該携帯型ライトを着脱可能に係合可能な構成である行灯型ケース。
【請求項５】
請求項４記載の行灯型ケースにおいて、
前記第１閉塞部及び前記第２閉塞部の何れか一方が前記ケース本体の天井であり、他方が前記ケース本体の底である行灯型ケース。
【請求項６】
請求項３〜５の何れかに記載の行灯型ケースにおいて、
前記第１閉塞部は前記筒体の前記第１開口を開閉可能である行灯型ケース。
【請求項７】
請求項１〜６の何れかに記載の行灯型ケースにおいて、
前記第１係合部は、前記ケース本体の前記内面に固定された第１端と、
前記ケース本体の前記内面に着脱自在に取り付けられる第２端とを有する少なくとも一つのベルトを有する行灯型ケース。
【請求項８】
請求項１〜６の何れかに記載の行灯型ケースにおいて、
前記第１係合部は、前記ケース本体の前記内面に固定された第１端と、
前記ケース本体の前記内面に固定された第２端とを有する少なくとも一つのベルトを有する行灯型ケース。
【請求項９】
請求項１〜６の何れかに記載の行灯型ケースにおいて、
前記第１係合部は、ネット又は透光性を有するシートを有しており、前記ネット又は前記シートは、その外周部が部分的に前記ケース本体の前記内面に固定されており、且つ前記ネット又は前記シートの中央部と前記ケース本体の前記内面との間で前記携帯型ライトを挟持可能である行灯型ケース。
【請求項１０】
請求項１〜９の何れかに記載の行灯型ケースにおいて、
前記ケース本体の前記第１部は、当該ケース本体が載置場所に載置される部分以外の部分であり、
前記ケース本体は、前記第１係合部が前記携帯型ライトを係合した状態で、自立可能となる程度の剛性を有している行灯型ケース。
【請求項１１】
請求項１〜１０の何れかに記載の行灯型ケースにおいて、
前記ケース本体の外面に設けられており且つ吊り下げ支持部に係合可能な外側係合部を更に備えている行灯型ケース。  
【請求項１２】
請求項１〜１１の何れかに記載の行灯型ケースと、
懐中電灯、ヘッドライト又はランタンである携帯型ライトとを備えている照明器具。
【発明の詳細な説明】
【技術分野】
【０００１】
本発明は、行灯型ケース及びこれを備えた照明器具に関する。
【背景技術】
【０００２】
キャンプや登山等では、所定方向に主たる指向性を有する懐中電灯やヘッドライト等の携帯型ライトが使用されることがある。携帯型ライトは、主たる指向性を所定方向に向けて当該所定方向の一部分を照らすことができるが、周囲の広い範囲を照らすことはできない。本発明の発明者は、キャンプや登山等で持って行く荷物を減らすために、携帯型ライトを、所定方向の一部分を照らすためだけに使用するではなく、周囲の広い範囲を照らすことにも使用することを思い至った。
【０００３】
他方で、従来の照明器具が下記特許文献１に記載されている。この照明器具は、発光標識体であって、三角ポールと、基台と、吸着板と、懐中電灯とを備えている。基台は、三角ポール上にセットされている。吸着板は、三角ポール内に位置するように、基台に支持されている。懐中電灯は、上向きで吸着板の磁石によって吸着板に吸着され、三角ポール内で支持されている。懐中電灯を点灯させることで、三角ポールが光る。これにより、発光標識体の存在を他者に報せることができる。
【先行技術文献】
【特許文献】
【０００４】
【特許文献１】特開平１１-１５８８２４号公報（特に、図１１参照）
【発明の概要】
【発明が解決しようとする課題】
【０００５】
従来の照明器具は、懐中電灯の光で三角ポールが光るが、あくまで非常時の標識体を発光させるものであって、キャンプやと登山等で周囲の広い範囲を照らすことはできない。しかも、三角ポールがリジットなプラスチックで構成されているため、可搬性が悪い。
【０００６】
本発明は、上記事情に鑑みて創案されたものであって、その目的とするところは、可搬性の良く、携帯型ライトで周囲の広い範囲を照らすことができる行灯型ケース及びこれを備えた照明器具を提供することにある。
【課題を解決するための手段】
【０００７】
上記課題を解決するために、本発明の一態様の行灯型ケースは、懐中電灯、ヘッドライト又はランタン等であって、電池又は内蔵バッテリーと、光源とを有する携帯型ライトを収容可能である。この行灯型ケースは、ケース本体と、第１係合部とを備えている。
ケース本体は、当該ケース本体内に携帯型ライトを収容可能であり、携帯型ライトの光を散乱させてケース本体外に出射可能であり且つ折り畳み可能となる程度の可撓性を有している。第１係合部は、ケース本体の第１部の内面に設けられており且つ携帯型ライトの光の出射方向がケース本体の第２部に向くように当該携帯型ライトを着脱自在に係合可能な構成である。第２部は、ケース本体の第１部のことなる部分である。
【０００８】
このような態様の行灯型ケースによる場合、ケース本体は折り畳み可能であることから、可搬性が向上する。しかも、第１係合部に係合させ、ケース本体内に配置された携帯型ライトの光が、ケース本体に入射すると、散乱してケース本体外に出射される。このため、携帯型ライトの光でケース本体の周囲の広い範囲を照らすことが可能になる。
【０００９】
行灯型ケースは、第２係合部を更に備えた構成とすることが可能である。第２係合部は、ケース本体の第３部の内面に設けられており且つ携帯型ライトの光の出射方向がケース本体の前記第３部と異なる第４部に向くように当該携帯型ライトを着脱自在に係合可能な構成とすることが可能である。ケース本体の第３部及び第４部は、ケース本体の第１部及び第２部と異なる部分である。
【００１０】
このような態様の行灯型ケースの用途が多様になる。携帯型ライトを第１係合部及び／又は第２係合部に係合させて、ケース本体内に配置するだけで、携帯型ライトの光源の位置や向きを変えることができるからである。
【００１１】
ケース本体は、第１方向の一方側の第１開口及び第１方向の他方側の第２開口を有する筒体と、筒体の第１開口を閉塞する第１閉塞部と、筒体の第２開口を閉塞する第２閉塞部とを有する構成とすることが可能である。第１係合部は、第１閉塞部の内面に設けられており且つ携帯型ライトの出射方向が第２閉塞部に向くように当該携帯型ライトを着脱自在に係合可能な構成とすることが可能である。
【００１２】
第２係合部は、第２閉塞部の内面に設けられており且つ携帯型ライトの出射方向が第１閉塞部に向くように当該携帯型ライトを着脱可能に係合可能な構成とすることが可能である。
【００１３】
このような態様の行灯型ケースの用途が多様になる。携帯型ライトを第１係合部及び／又は第２係合部に係合させて、ケース本体内に配置するだけで、携帯型ライトの光源の位置や向きを変えることができるからである。
【００１４】
第１閉塞部及び第２閉塞部の何れか一方がケース本体の天井であり、他方がケース本体の底である構成とすることが可能である。
【００１５】
第１閉塞部は、筒体の第１開口を開閉可能な構成及び／又は第２閉塞部が筒体の第２開口を開閉可能な構成とすることが可能である。又は、ケース本体は、携帯型ライトを出し入れするための第３開口を更に有する構成とすることが可能である。これらの態様の行灯型ケースは、携帯型ライトのケース本体に対する挿入及び取り出しが容易になる。
【００１６】
第１係合部は、少なくとも一つのベルトを有する構成とすることが可能である。ベルトは、第１端と、第２端とを有する構成とすることが可能である。ベルトの第１端は、ケース本体の内面に固定されていると良い。ベルトの第２端は、ケース本体の内面に着脱自在に取り付けられている又はケース本体の内面に固定されていると良い。ベルトの第２端がケース本体の内面に着脱自在である場合、ベルトの第２端を取り外し、ベルトとケース本体の内面との間で携帯型ライトを挟持させ、ベルトの第２端をケース本体の内面に取り付ける。ベルトの第２端がケース本体の内面に固定されている場合、ベルトの中間部とケース本体の内面との間で携帯型ライトを挟持させる。このように携帯型ライトをベルトに簡単に係合させることができる。なお、第１係合部は、複数のベルトを有する構成とすることが可能である。
【００１７】
又は、第１係合部は、ネット又は透光性を有するシートを有する構成とすることが可能である。ネット又はシートは、その外周部が部分的にケース本体の内面に固定されており、且つネット又はシートの中央部とケース本体の内面との間で携帯型ライトを挟持可能な構成とすることが可能である。このような態様の行灯型ケースによる場合、ネット又はシートの中央部とケース本体の内面との間に携帯型ライトを挟持させるだけで、携帯型ライトをネット又はシートに簡単に係合させることができる。
【００１８】
第２係合部は、上記した何れかの態様の第１係合部と同様の構成とすることが可能である。
【００１９】
ケース本体の第１部は、当該ケース本体が載置場所に載置される部分以外の部分とすることが可能である。この場合、ケース本体は、第１係合部が携帯型ライトを係合した状態で、自立可能となる程度の剛性を有する構成とすることが可能である。このような態様の行灯型ケースの使用用途が広がる。その理由は以下の通りである。ケース本体が自立し且つ第１係合部に係合された携帯型ライトは載置場所よりも上空に位置させることができるので、載置場所から離れた位置に光源を配置することができる。よって、行灯型ケースを
様々な載置場所に載置し、その周囲を照らすことができる。
【００２０】
上記した何れかの態様の行灯型ケースは、外側係合部を更に備えた構成とすることが可能である。外側係合部は、ケース本体の外面に設けられており且つ吊り下げ支持部に係合可能な構成とすることが可能である。このような態様の行灯型ケースは、外側係合部を吊り下げ支持部に係合させるだけで、吊り下げ支持される。  
【００２１】
本発明の一態様の照明器具は、上記した何れかの態様の行灯型ケースと、懐中電灯、ヘッドライト又はランタンである携帯型ライトとを備えている。
【図面の簡単な説明】
【００２２】
【図１Ａ】本発明の実施例１の行灯型ケースの正面図であって、前記行灯型ケースの第１閉塞部の閉状態を示す図である。
【図１Ｂ】前記行灯型ケースの背面図である。
【図１Ｃ】前記行灯型ケースの平面図である。
【図１Ｄ】前記行灯型ケースの底面図である。
【図１Ｅ】前記行灯型ケースの右側面図である。
【図１Ｆ】前記行灯型ケースの左側面図である。
【図２】前記行灯型ケースの平面図であって、前記第１閉塞部の開状態を示す図である。
【図３Ａ】前記行灯型ケースを透過させた正面図であって、前記行灯型ケースの第１保持部に携帯型ライトが係合された状態を示す図である。
【図３Ｂ】前記行灯型ケースを透過させた正面図であって、前記行灯型ケースの第２保持部に携帯型ライトが係合された状態を示す図である。
【図４】本発明の実施例２の行灯型ケースの正面図であって、前記行灯型ケースの第１閉塞部の閉状態を示す図である。
【発明を実施するための形態】
【００２３】
以下、本発明の実施例（実施例１及び２を含む。）に係る行灯型ケースＣについて図１Ａ〜図４を参照しつつ説明する。なお、図１Ａ〜図３Ｂには、実施例１に係る行灯型ケースＣが示されており、図４には、実施例２に係る行灯型ケースＣが示されている。両行灯型ケースＣは、その長さ寸法が相違する以外、同じ構成であるので、以下、両者を区別せずに説明する。なお、図３Ａ及び図３Ｂに示されるＺ−Ｚ’方向は、特許請求の範囲の第１方向に相当し、Ｚ方向が第１方向の一方に、Ｚ’方向が第１方向の他方に相当する。
【００２４】
行灯型ケースＣは、図３Ａ及び図３Ｂに示されるように、携帯型ライトＬを収容可能である。携帯型ライトＬは、電池又は内蔵バッテリーと、光源とを有する限り、どのようなものであっても良い。例えば、携帯型ライトＬは、懐中電灯、ヘッドライト又はランタン等であっても良い。携帯型ライトＬは、所定方向を照らすために主たる指向性を有していると良い。なお、図３Ａ及び図３Ｂでは、携帯型ライトＬはヘッドライトである。
【００２５】
行灯型ケースＣは、内部に携帯型ライトＬが収容可能なケース本体１００を備えている。ケース本体１００は、少なくとも折り畳み可能となる程度の可撓性、携帯型ライトＬの光をケース本体１００外に透過させる光透過性及び携帯型ライトＬの光を散乱させてケース本体１００外に出射させる光散乱性を有している。例えば、ケース本体１００は、前述の可撓性、光透過性及び光散乱性を有する樹脂又は和紙等の紙等で構成することが可能である。ケース本体１００の少なくとも一部は、透明、半透明又は乳白色とすることが可能である。勿論、ケース本体１００の全部は、透明、半透明又は乳白色とすることが可能である。
【００２６】
ケース本体１００は、筒体１１０と、第１閉塞部１２０ａと、第２閉塞部１２０ｂとを有する構成とすることが可能である。筒体１１０は、筒体１１０は、Ｚ−Ｚ’方向に延びた多角筒又は円筒であって、Ｚ方向側の第１開口１１１ａと、Ｚ’方向側の第２開口１１１ｂとを有している。図１Ａ〜図４では、筒体１１０は四角筒である。
【００２７】
第１閉塞部１２０ａは、筒体１１０の第１開口１１１ａの形に対応した外形を有しており、筒体１１０の第１開口１１１ａを閉塞する。具体的には、第１閉塞部１２０ａは、下記１）〜３）の何れかの構成とすることが可能である。１）図１Ａ〜図４に示されるように、第１閉塞部１２０ａが第１開口１１１ａを開閉可能となるように第１閉塞部１２０ａの外周部の一部が筒体１１０の第１開口１１１ａの縁部の一部に接続されている。２）第１閉塞部１２０ａは、筒体１１０と別体であり、第１閉塞部１２０ａが第１開口１１１ａを開閉可能となるように第１閉塞部１２０ａが筒体１１０の第１開口１１１ａの縁部に着脱可能な構成となっている。３）第１閉塞部１２０ａは第１開口１１１ａを閉塞するように筒体１１０に一体的に固定されている。この場合、第１閉塞部１２０ａは第１開口１１１ａを閉塞したままであり、開放することができない。
【００２８】
第２閉塞部１２０ｂは、筒体１１０の第２開口１１１ｂの形に対応した外形を有しており、筒体１１０の第２開口１１１ｂを閉塞する。具体的には、第２閉塞部１２０ｂは、下記１）〜３）の何れかの構成とすることが可能である。１）第２閉塞部１２０ｂが第２開口１１１ｂを開閉可能となるように第２閉塞部１２０ｂの外周部の一部が筒体１１０の第２開口１１１ｂの縁部の一部に接続されている。２）第２閉塞部１２０ｂは、筒体１１０と別体であり、第２閉塞部１２０ｂが第２開口１１１ｂを開閉可能となるように第２閉塞部１２０ｂが筒体１１０の第２開口１１１ｂの縁部に着脱可能な構成となっている。３）図１Ａ〜図４に示されるように、第２閉塞部１２０ｂは第２開口１１１ｂを閉塞するように筒体１１０に一体的に固定されている。この場合、第２閉塞部１２０ｂは第２開口１１１ｂを閉塞したままであり、開放することができない。なお、第２閉塞部１２０ｂは省略可能である。
【００２９】
第１閉塞部１２０ａが上記１）又は２）の構成である場合、行灯型ケースＣは、第１固定手段１３０を更に備えていると良い。第１固定手段１３０は、第１閉塞部１２０ａを筒体１１０に固定し、第１閉塞部１２０ａが第１開口１１１ａを閉塞した状態を維持させる構成であれ良い。例えば、第１固定手段１３０は、Ａ）〜Ｂ）の何れかの構成とすることが可能である。
【００３０】
Ａ）第１固定手段１３０は、線ファスナである。第１閉塞部１２０ａが上記１）の構成である場合、図１Ａ〜図４に示されるように、線ファスナは、第１閉塞部１２０ａの外周部の残りの部分（上記外周部の一部を除く部分）と筒体１１０の第１開口１１１ａの縁部の残りの部分（上記縁部の一部を除く部分）とに設けられている。第１閉塞部１２０ａが上記２）の構成である場合、線ファスナは、第１閉塞部１２０ａの外周部と筒体１１０の第１開口１１１ａの縁部とに設けられている。
【００３１】
Ｂ）第１固定手段１３０は、少なくとも一つのアームと、少なくとも一つの第１係合手段と、少なくとも一つの第２係合手段とを有している。第１閉塞部１２０ａが上記１）の構成である場合、少なくとも一つのアームが第１閉塞部１２０ａの外周部の残りの部分又は筒体１１０の第１開口１１１ａの縁部の残りの部分に接続されている。少なくとも一つの第１係合手段が少なくとも一つのアームの自由端部に設けられ、少なくとも一つの第２係合手段が筒体１１０の第１開口１１１ａの縁部の残りの部分又は第１閉塞部１２０ａの外周部の残りの部分に設けられている。第１閉塞部１２０ａが上記２）の構成である場合、複数のアームが、第１閉塞部１２０ａの外周部又は筒体１１０の第１開口１１１ａの縁部に設けられている。複数の第１係合手段がアームの自由端部に各々設けられ、複数の第２係合手段が筒体１１０の第１開口１１１ａの縁部の残りの部分又は第１閉塞部１２０ａの外周部の残りの部分に設けられている。何れの場合も、第１係合手段と第２係合手段が互いに係合可能であれば良い。例えば、第１係合手段及び第２係合手段は面ファスナとすることが可能であるし、第１係合手段及び第２係合手段の一方が係合突部、他方が、係合突部が係合可能な係合穴とすることが可能である。
【００３２】
なお、第２閉塞部１２０ｂが上記１）又は２）の構成である場合、行灯型ケースＣは、図示しない第２固定手段を更に備えていると良い。第２固定手段は、第２閉塞部１２０ｂを筒体１１０に固定し、第２閉塞部１２０ｂが第２開口１１１ｂを閉塞した状態を維持させる構成であれ良い。第２固定手段は、上記何れかの態様の第１固定手段１３０と同様の構成とすることが可能である。
【００３３】
第１閉塞部１２０ａ及び第２閉塞部１２０ｂの何れもが、上記３）の構成である場合、ケース本体１００は、第３開口が設けられていても良いし、ケース本体１００は二つのパーツで構成されていても良い。前者の場合、第３開口から携帯型ライトＬを出し入れすれば良い。後者の場合、二つのパーツの一つはケース本体１００のＺ方向側の部分とし、もう一つはケース本体１００のＺ’方向側の部分とすることが可能である。両者が互いに接続されてケース本体１００を構成し、分離状態で携帯型ライトＬを出し入れすることができる。なお、上記した何れかの態様の第１閉塞部１２０ａ及び／又は第２閉塞部１２０ｂは省略可能である。
【００３４】
上記した何れかの態様の行灯型ケースＣは、第１係合部２００ａを更に備えていても良い。第１係合部２００ａは、ケース本体１００の第１部の内面に設けられており且つ携帯型ライトＬの光の出射方向（上記主たる指向性）がケース本体１００の第２部（第１部を除く任意の部分）に向くように携帯型ライトＬを着脱自在に係合可能な構成であれば良い。例えば、第１係合部２００ａは、第１閉塞部１２０ａ（第１部）の内面に設けられており、且つ携帯型ライトＬの出射方向がＺ’方向（第２閉塞部１２０ｂ（第２部））に向くように当該携帯型ライトＬを着脱自在に係合可能な構成とすることが可能である。具体的には、第１係合部２００ａは、下記１）〜４）の何れかの構成とすることが可能である。なお、第１係合部２００ａは、下記１）〜４）の何れかの通りに、ケース本体１００の内面の第１閉塞部１２０ａ以外の部分に設けることも可能である。
【００３５】
１）第１係合部２００ａは、少なくとも一つのベルト２１０ａを有している。ベルト２１０ａは、第１端と、第２端と、中間部とを有している。ベルト２１０ａの第１端は、第１閉塞部１２０ａの内面に着脱自在に取り付けられている又は第１閉塞部１２０ａの内面に固定されていると良い。ベルト２１０ａの第２端は、第１閉塞部１２０ａの内面に着脱自在に取り付けられている又は第１閉塞部１２０ａの内面に固定されていると良い。ベルト２１０ａの第１端及び／又は第２端と、第１閉塞部１２０ａの内面とは、１-１）図２に最も良く示されているようにスナップボタン２１１ａで着脱自在になっていても良いし、１-２）ベルト２１０ａの第１端及び／又は第２端と第１閉塞部１２０ａの内面とが面ファスナで着脱自在になっていても良いし、１-３）ベルト２１０ａの第１端及び／又は第２端と第１閉塞部１２０ａの内面との一方が係合突部であり、他方が前記係合突部を着脱自在に係合可能な係合凹部とすることが可能である。なお、図１Ａ〜図４では、ベルト２１０ａの第１端が第１閉塞部１２０ａの内面に固定され、ベルト２１０ａの第２端が第１閉塞部１２０ａの内面に着脱自在に取り付けられている。何れの場合も、ベルト２１０ａの中間部と第１閉塞部１２０ａの内面とで携帯型ライトＬを挟持可能となっていると良い。なお、第１係合部２００ａは、複数のベルト２１０ａを有する構成とすることが可能である。
【００３６】
２）第１係合部２００ａは、ネット又は透光性を有するシートを有している。ネット又はシートは、その外周部が部分的に第１閉塞部１２０ａの内面に固定されている。ネット又はシートの外周部の固定されていない部分と第１閉塞部１２０ａの内面との間から携帯型ライトＬを挿脱自在となっている。挿入された携帯型ライトＬは、ネット又はシートの中央部と第１閉塞部１２０ａの内面との間で挟持される。
【００３７】
３）第１係合部２００ａは、第１閉塞部１２０ａの内面に設けられた係合突部又は係合凹部であり、携帯型ライトＬに設けられた係合凹部又は係合突部に係合可能な構成となっている。
【００３８】
４）第１係合部２００ａは、第１閉塞部１２０ａの内面に設けられた面ファスナであり、携帯型ライトＬに設けられた面ファスナに着脱可能な構成となっている。
【００３９】
上記した何れかの態様の行灯型ケースＣは、第２係合部２００ｂを更に備えていても良い。第２係合部２００ｂは、ケース本体１００の第３部の内面に設けられており且つ携帯型ライトＬの光の出射方向（上記主たる指向性）がケース本体１００の第４部（第３部を除く任意の部分）に向くように携帯型ライトＬを着脱自在に係合可能な構成であれば良い。なお、ケース本体１００の第３部及び第４部は、ケース本体１００の第１部及び第２部と異なる部分である。
【００４０】
第２係合部２００ｂは、例えば、第２閉塞部１２０ｂの内面に設けられており且つ携帯型ライトＬの出射方向（上記主たる指向性）がＺ方向（第１閉塞部１２０ａ）に向くように当該携帯型ライトＬを着脱自在に係合可能な構成とすることが可能である。第２係合部２００ｂは、上記した何れかの態様の第１係合部２００ａと同様の構成とすることが可能である。図１Ａ〜図４では、第２係合部２００ｂの複数のベルト２１０ｂの第１端及び第２端が第２閉塞部１２０ｂの内面に固定されている。なお、第２係合部２００ｂは省略可能である。
【００４１】
第１閉塞部１２０ａ及び第２閉塞部１２０ｂの何れか一方は、ケース本体１００の天井であり、他方がケース本体１００の底とすることが可能である。換言すると、行灯型ケースＣは、第１閉塞部１２０ａが天井となるように第２閉塞部１２０ｂを地面、床又はテーブル等の載置場所上に載置しても良いし、第２閉塞部１２０ｂが天井となるように第１閉塞部１２０ａを載置場所に載置しても良い。
【００４２】
ケース本体１００の第１部が、当該ケース本体１００が載置場所に載置される部分（ケース本体１００の底）以外の部分とすることが可能である。この場合、ケース本体１００は、第１係合部２００ａが携帯型ライトＬを係合した状態（載置場所よりも上空で携帯型ライトＬが第１係合部２００ａに保持された状態）で、自立可能となる程度の剛性を更に有する構成とすることが可能である。例えば、第１閉塞部１２０ａが天井となるように第２閉塞部１２０ｂ（ケース本体１００の底）を載置場所上に載置し且つ第１係合部２００ａが携帯型ライトＬを係合した状態で、ケース本体１００は自立可能となる程度の剛性を更に有していても良い。同様に、第２閉塞部１２０ｂが天井となるように第１閉塞部１２０ａ（ケース本体１００の底）を載置場所上に載置し且つ第２係合部２００ｂが携帯型ライトＬを係合した状態で、ケース本体１００が自立可能となる程度の剛性を更に有していても良い。この場合、ケース本体１００は、上記した可撓性、光透過性、光散乱性及び剛性を有する樹脂（例えば、ＥＶＡ樹脂等）又は和紙等の紙等で構成することが可能である。
【００４３】
上記した何れかの態様の行灯型ケースＣは、外側係合部１４０を更に備えた構成とすることが可能である。外側係合部１４０は、ケース本体１００の外面に設けられており且つ図示しない吊り下げ支持部に係合可能な構成となっている。吊り下げ支持部は、テントや照明支持用のポール等に取り付けられており、且つ外側係合部１４０に係合した状態で行灯型ケースＣを吊り下げ支持可能な構成となっている。図１Ａ〜図４では、外側係合部１４０は、ケース本体１００の第１閉塞部１２０ａの外面に設けられたストラップである。なお、外側係合部１４０は省略可能である。
【００４４】
以下、上記した行灯型ケースＣの使用方法について説明する。なお、ここでは、第１閉塞部１２０ａが筒体１１０の第１開口１１１ａを開閉可能になっており、第２閉塞部１２０ｂが筒体１１０の第２開口１１１ｂを開放不能に閉塞しているものとする。
【００４５】
まず、行灯型ケースＣを展開状態とする。その後、第１固定手段１３０を外し、第１閉塞部１２０ａを開き、筒体１１０の第１開口１１１ａを開放させる。その後、携帯型ライトＬを第１閉塞部１２０ａの内面の第１係合部２００ａ及び／又は第２係合部２００ｂに係合させる。携帯型ライトＬの光源を点灯させ、第１閉塞部１２０ａで筒体１１０の第１開口１１１ａを閉塞させる。第１固定手段１３０で第１閉塞部１２０ａが筒体１１０の第１開口１１１ａを閉塞した状態を維持させる。携帯型ライトＬが第１係合部２００ａに係合されているときには、携帯型ライトＬの出射方向が第２閉塞部１２０ｂへ向く。携帯型ライトＬが第２係合部２００ｂに係合されているときには、携帯型ライトＬの出射方向が第１閉塞部１２０ａへ向く。何れの場合も、携帯型ライトＬの光が行灯型ケースＣのケース本体１００に入射すると、光散乱し、ケース本体１００外に出射される。これにより行灯型ケースＣが点灯し、ケース本体１００の周囲の広い範囲を照らすことができる。
【００４６】
吊り下げ支持部に外側係合部１４０を係合させ、吊り下げ支持部に行灯型ケースＣを支持させる場合、第１閉塞部１２０ａがケース本体１００の天井となり、第２閉塞部１２０ｂがケース本体１００の底となる。この場合、第１係合部２００ａ及び／又は第２係合部２００ｂに携帯型ライトＬを係合させることができる。ただし、第２閉塞部１２０ｂには、外側係合部１４０が設けられておらず、外側係合部１４０によって携帯型ライトＬの光が遮蔽されないので、第１係合部２００ａに携帯型ライトＬを係合させることが好ましい。
【００４７】
行灯型ケースＣを地面、床又はテーブル上等に載置する場合、第１閉塞部１２０ａ及び第２閉塞部１２０ｂの何れか一方をケース本体１００の天井とし、他方をケース本体１００の底とすることが可能である。この場合、第１係合部２００ａ及び／又は第２係合部２００ｂに携帯型ライトＬを係合させることができる。ただし、第２閉塞部１２０ｂには、外側係合部１４０が設けられておらず、外側係合部１４０によって携帯型ライトＬの光が遮蔽されないので、第１係合部２００ａに携帯型ライトＬを係合させ、第２閉塞部１２０ｂをケース本体１００の天井とした方が、第２係合部２００ｂに携帯型ライトＬを係合させ、第１閉塞部１２０ａをケース本体１００の天井とするよりも、点灯した行灯型ケースＣが明るくなる。
【００４８】
以下、上記した行灯型ケースＣを収納する方法について説明する。ここでも、第１閉塞部１２０ａが筒体１１０の第１開口１１１ａを開閉可能になっており、第２閉塞部１２０ｂが筒体１１０の第２開口１１１ｂを開放不能に閉塞しているものとする。
【００４９】
まず、第１固定手段１３０を外し、第１閉塞部１２０ａを開き、筒体１１０の第１開口１１１ａを開放させる。その後、携帯型ライトＬと第１閉塞部１２０ａの内面の第１係合部２００ａ又は第２係合部２００ｂとの係合を解除させる。その後、行灯型ケースＣのケース本体１００を折り畳む。
【００５０】
以上のような行灯型ケースＣは、以下の技術的特徴及び効果を有している。第１に、携帯型ライトＬは、所定方向に主たる指向性を有しているものの、これを行灯型ケースＣ内に収容し、第１係合部２００ａ及び／又は第２係合部２００ｂに係合させるだけで、上記の通り、行灯型ケースＣの周囲の広い範囲を照らすことができる。
【００５１】
第２に、行灯型ケースＣのケース本体１００は、折り畳み可能となるような可撓性を有しているため、コンパクトに折り畳み、持ち運ぶことができる。よって、行灯型ケースＣは可搬性に優れている。
【００５２】
第３に、第１係合部２００ａ及び／又は第２係合部２００ｂに携帯型ライトＬを係合させることによって、行灯型ケースＣの光源の位置や向きが変わるので、行灯型ケースＣの使用用途が広がる。その理由は以下の通りである。第１係合部２００ａがケース本体１００の第１部の内面に設けられ且つ携帯型ライトＬをその出射方向がケース本体１００の第２部に向くように係合可能になっており、第２係合部２００ｂがケース本体１００の第３部の内面に設けられ且つ携帯型ライトＬをその出射方向がケース本体１００の第４部に向くように係合可能になっている。行灯型ケースＣが外側係合部１４０を備えている場合、行灯型ケースＣを吊り下げ支持させることができるので、行灯型ケースＣの使用用途が更に広がる。行灯型ケースＣのケース本体１００が、第１係合部２００ａ及び／又は第２係合部２００ｂが携帯型ライトＬを係合した状態で、当該ケース本体１００が自立可能となる程度の剛性を更に有している場合、第１係合部２００ａ及び／又は第２係合部２００ｂに係合された携帯型ライトＬの光源を載置場所よりも上空に配して使用することができるので、行灯型ケースＣの使用用途が更に広がる。
【００５３】
第４に、第１閉塞部１２０ａが筒体１１０第１開口１１１ａを開閉可能及び／又は第２閉塞部１２０ｂが筒体１１０の第２開口１１１ｂを開閉可能である場合、行灯型ケースＣは、携帯型ライトＬの出し入れが容易である。開放された第１開口１１１ａ及び／又は第２開口１１１ｂから携帯型ライトＬをケース本体１００に出し入れできるからである。
【００５４】
第５に、第１係合部２００ａが、上記何れかの態様のベルト２１０ａ、ネット又はシートを有している場合、第１係合部２００ａに携帯型ライトＬを簡単に係合させることができる。その理由は以下の通りである。ベルト２１０ａ、ネット又はシートの中間部と、第１閉塞部１２０ａの内面との間に携帯型ライトＬを挿入するだけで、携帯型ライトＬがベルト２１０ａ、ネット又はシートの中間部と、第１閉塞部１２０ａの内面との間で挟持される。第２係合部２００ｂが、上記何れかの態様のベルト２１０ｂ、ネット又はシートを有している場合も、同様の技術的特徴及び効果を得ることができる。なお、第１係合部２００ａ及び／又は第２係合部２００ｂが複数である場合、携帯型ライトＬをより簡単に係合させ易くなる。
【００５５】
なお、上記した行灯型ケース及び照明器具は、上記実施例に限定されるものではなく、特許請求の範囲の記載範囲において任意に設計変更することが可能である。
【００５６】
また、上記実施例の各態様及び設計変形例における行灯型ケース及び照明器具の各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。なお、本発明の第１方向は、本発明の行灯型ケースのケース本体の筒体の長手方向である限り任意に設定可能である。
【符号の説明】
【００５７】
Ｃ：行灯型ケース
１００：ケース本体
１１０：筒体
１１１ａ：第１開口
１１１ｂ：第２開口
１２０ａ：第１閉塞部
１２０ｂ：第２閉塞部
１３０：第１固定手段
１４０：外側係合部
２００ａ：第１係合部
２１０ａ  ：ベルト
２１１ａ：スナップボタン
２００ｂ：第２係合部
２１０ｂ：ベルト
Ｌ：携帯型ライト
【図１Ａ】
2018029024.tif 000003
【図１Ｂ】
2018029024.tif 000004
【図１Ｃ】
2018029024.tif 000005
【図１Ｄ】
2018029024.tif 000006
【図１Ｅ】
2018029024.tif 000007
【図１Ｆ】
2018029024.tif 000008
【図２】
2018029024.tif 000009
【図３Ａ】
2018029024.tif 000010
【図３Ｂ】
2018029024.tif 000011
【図４】
2018029024.tif 000012